(57)【要約】      （修正有）【課題】離隔シートを着用者の身体に密着させるとともに、開口部を所望の形状に保持することのできる弾性伸縮部材を備えた使い捨ておむつを提供する。【解決手段】離隔シート１４が、おむつ本体１０ａのクロッチ域１３に配置され、前方部３０、後方部３１、前方部３０と後方部３１との間に位置する中間部３２とを有し、開口部３４，３５が、前方開口部３４と後方開口部３５から形成され、前方弾性伸縮部材３８，３９が、縦軸Ｐに関して対称となるように離隔シート１４の前端縁部１４ａの両側から前方開口部３４の後周縁に収縮可能に延び、後方弾性伸縮部材３５が後端縁部１４ｂの両側から後方開口部３５の前周縁に収縮可能に延び、離隔シート１４の中間部３２が折曲され、前方開口部３４と後方開口部３５とが横軸Ｑの近傍で、縦軸Ｐの方向に隣接するように配置され、前方弾性伸縮部材３８，３９と後方弾性伸縮部材４０，４１とが中間部３２で対向離間している。【選択図】図２
2010154926.tif 000002
【特許請求の範囲】
【請求項１】
縦軸及び横軸と、肌当接面側及びそれに対向する非肌当接面側と、
前ウエスト域と、後ウエスト域と、前記前後ウエスト域間に位置するクロッチ域とを有するおむつ本体と、前記おむつ本体の肌当接面側に配置された、排泄物を通過させるための開口部を有する離隔シートと、前記おむつ本体と前記離隔シートとの間に形成され、前記開口部と連通する排泄物収容部とを含む使い捨ておむつにおいて、
前記離隔シートが、前記おむつ本体の前記クロッチ域に配置されており、前記前ウエスト域寄りに位置する前方部と、前記後ウエスト域寄りに位置する後方部と、前記前方部と前記後方部との間に位置する中間部とを有し、
前記開口部が、前記前方部に画成された前方開口部と前記後方部に画成された後方開口部とから形成されており、
一対の前方弾性伸縮部材が、前記縦軸に関して対称となるように前記離隔シートの前端縁部の両側から前記前方開口部の後周縁に収縮可能に延びており、一対の後方弾性伸縮部材が、前記縦軸に関して対称となるように前記離隔シートの後端縁部の両側から前記後方開口部の前周縁に収縮可能に延びており、
前記離隔シートの前記中間部が折曲されることによって、前記前方開口部と前記後方開口部とが前記横軸の近傍において、前記縦軸の方向に隣接するように配置されており、
前記一対の前方弾性伸縮部材と前記一対の後方弾性伸縮部材とが前記中間部において対向離間していることを特徴とする前記おむつ。
【請求項２】
前記前後ウエスト域の両側縁部が、前記縦軸方向へ間欠的に並ぶ複数のシール部によって接合されており、前記前方弾性伸縮部材の前記前ウエスト域に位置する外端部と前記後方弾性伸縮部材の前記後ウエスト域に位置する外端部とが、前記シール部と重なっている請求項１記載のおむつ。
【請求項３】
前記前方弾性伸縮部材と前記後方弾性伸縮部材とが、弾性伸縮性を有するシート部材から形成されている請求項１又は２に記載のおむつ。
【請求項４】
前記前方弾性伸縮部材と前記後方弾性伸縮部材とが、複数条からなるストランド状の弾性要素から形成されている請求項１〜３のいずれかに記載のおむつ。
【請求項５】
前記縦方向へ延びるレッグ弾性伸縮部材が、前記クロッチ域の両側部に取り付けられている請求項１〜４のいずれかに記載のおむつ。
【発明の詳細な説明】
【技術分野】
【０００１】
本発明は、体液吸収性着用物品、より詳しくは、排泄物の肌への接触を防止可能な使い捨ておむつに関する。
【背景技術】
【０００２】
従来、排泄物が肌に接触することを防止可能な機能を備える使い捨ておむつは公知である。例えば、特許文献１には、内面シートの上に配置された離隔シートを備える使い捨ておむつが開示されており、離隔シートの開口部の周縁部には弾性伸縮部材が配置されている。
【特許文献１】特開２００２−１１０４４号公報
【発明の開示】
【発明が解決しようとする課題】
【０００３】
特許文献１に開示されたおむつでは、着用時に離隔シートの開口部を着用者の肛門に臨むように配置することによって、便を離隔シートの下側に位置する排泄物収容部に進入させ、便と肌とが接触することを防止することができる。これにより、排便後の着用者の臀部に便が付着することはないので、便が付着することによる不快感やかぶれを防止することができる。
【０００４】
また、離隔シートの開口縁部に弾性伸縮部材が配設されているので、開口縁部を着用者の股間部に密着させることができ、排便をスムーズに離隔シートの下側に位置する排泄物収容部に導くことができる。
【０００５】
しかし、離隔シートは着用者の肌に直接当接するので、着用中に着用者の動きによって、一部が折り曲げられたり、皺が寄ったりするおそれがある。このとき、その一部が折り曲げられることによって開口部の形状が変形するので、特に開口部が押しつぶされて幅狭になった場合には、便が開口部を通過し難くなり、離隔シートの表面に便が付着して、着用者の肌を汚すおそれがある。
【０００６】
そこで、本発明では、離隔シートを着用者の身体に密着させるとともに、開口部を所望の形状に保持することのできる弾性伸縮部材を備えた使い捨ておむつの提供を課題としている。
【課題を解決するための手段】
【０００７】
前記課題を解決するために、本願発明が対象とするのは、縦軸と横軸と、肌当接面側及びそれに対向する非肌当接面側と、前ウエスト域と、後ウエスト域と、前記前後ウエスト域間に位置するクロッチ域とを有するおむつ本体と、前記おむつ本体の肌当接面側に配置された、排泄物を通過させるための開口部を有する離隔シートと、前記おむつ本体と前記離隔シートとの間に形成され、前記開口部と連通する排泄物収容部とを含む使い捨ておむつである。
【０００８】
本発明の特徴とするところは、前記離隔シートが、前記おむつ本体の前記クロッチ域に配置されており、前記前ウエスト域寄りに位置する前方部と、前記後ウエスト域寄りに位置する後方部と、前記前方部と前記後方部との間に位置する中間部とを有し、前記開口部が、前記前方部に画成された前方開口部と前記後方部に画成された後方開口部とから形成されており、一対の前方弾性伸縮部材が、前記縦軸に関して対称となるように前記離隔シートの前端縁部の両側から前記前方開口部の後周縁に収縮可能に延びており、一対の後方弾性伸縮部材が、前記縦軸に関して対称となるように前記離隔シートの後端縁部の両側から前記後方開口部の前周縁に収縮可能に延びており、前記離隔シートの前記中間部が折曲されることによって、前記前方開口部と前記後方開口部とが前記横軸の近傍において、前記縦軸の方向に隣接するように配置されており、前記一対の前方弾性伸縮部材と前記一対の後方弾性伸縮部材とが前記中間部において対向離間していることにある。
【０００９】
本発明は、前記特徴とする構成のほかに、以下の好ましい実施の態様を含む。
（１）前記前後ウエスト域の両側縁部が、前記縦軸方向へ間欠的に並ぶ複数のシール部によって接合されており、前記前方弾性伸縮部材の前記前ウエスト域に位置する外端部と前記後方弾性伸縮部材の前記後ウエスト域に位置する外端部とが、前記シール部と重なっている。
（２）前記前方弾性伸縮部材と前記後方弾性伸縮部材とが、弾性伸縮性を有するシート部材から形成されている。
（３）前記前方弾性伸縮部材と前記後方弾性伸縮部材とが、複数条からなるストランド状の弾性要素から形成されている。
（４）前記縦方向へ延びるレッグ弾性伸縮部材が、前記クロッチ域の両側部に取り付けられている。
【発明の効果】
【００１０】
本発明では、離隔シートが前方開口部と後方開口部とを有し、一対の前方弾性部材が前ウエスト域と前方開口部との間に収縮可能に配置されており、また、一対の後方弾性伸縮部材が後ウエスト域と前記後方開口部との間に収縮可能に配置されているので、前方弾性伸縮部材と後方弾性伸縮部材との収縮作用によって前方開口部と後方開口部との形状が保持され、大きく型崩れするおそれはない。さらに、前方弾性部材と後方弾性伸縮部材とが交差していないので、着用者の身体に過度の伸長応力を与えるおそれはなく、適度な伸長応力によって離隔シートを着用者の身体に密着させることができる。
【発明を実施するための最良の形態】
【００１１】
＜第１実施形態＞
図１は、第１実施形態におけるおむつ１０の内部を露出させた状態の側面図、図２は、おむつ１０の一部破断展開平面図である。
【００１２】
図１及び２に示すとおり、おむつ１０は、縦軸Ｐと横軸Ｑと、肌当接面側及びこれに対向する非肌当接面側と、前後ウエスト域１１，１２と、前後ウエスト域１１，１２間に位置するクロッチ域１３とを有するおむつ本体１０ａと、クロッチ域１３の肌当接面側に配置された離隔シート１４とを含む。
【００１３】
おむつ本体１０ａは、繊維不織布、多孔プラスチックフィルム、それらのラミネート等から形成され、肌当接面側に位置する透液性の内面シート１６と、透湿性プラスチックフィルム、繊維不織布、それらのラミネート等から形成され、非肌当接面側に位置する不透液性の外面シート１７と、フラッフパルプと超吸収性ポリマー粒子との混合等から形成され、内面シート１６と外面シート１７との間において、ホットメルト接着剤（図示せず）を介して固定された吸収性コア１８とを含む。
【００１４】
前後ウエスト域１１の両側縁部１１ｂ，１１ｂと、後ウエスト域１２の両側縁部１２ｂ，１２ｂとは、ヒートシール等の公知の熱溶着手段や接着剤を介して、縦軸Ｐの方向へ間欠的に並ぶシール部１００によって接合され、おむつ１０はプルオン・パンツ型に形成されており、ウエスト開口と一対のレッグ開口とが画成されている。
【００１５】
レッグ開口縁部１３ｂ，１３ｂと吸液性コア１８の両側縁１８ｂ，１８ｂとは、それらの中央域が縦軸Ｐに向かって凹曲状に形成されている。吸収性コア１８は、保形及び液拡散性を向上させるために、テッシュペーパ等の液拡散性シートで被包されていることが好ましく、さらに、体液の防漏効果を向上させるために、不透液性かつ通気性のプラスチックフィルムから形成されたバリヤシートが、吸収性コア１８の底面全体を被覆していることが好ましい。
【００１６】
おむつ本体１０ａは、吸液性コア１８の前後端縁から縦軸Ｐの方向へ延出する内面シート１６と外面シート１７とによって形成された、縦軸Ｐの方向に対向して横軸Ｑの方向へ延びる前後端縁部１９，２０と、吸液性コア１８の両側縁１８ｂから横軸Ｑの方向へ延出する内面シート１６と外面シート１７とによって形成された、横軸Ｑの方向に対向して縦軸Ｐの方向へ延びる両側縁部２２，２３とをさらに含む。前後端縁部１９，２０における内面シート１６と外面シート１７との間には、複数条のストランド状のウエスト弾性伸縮部材２５ａ，２５ｂがホットメルト接着剤を介して取り付けられている。
【００１７】
離隔シート１４は、熱可塑性合成繊維不織布や熱可塑性合成樹脂からなるフィルムから形成された、上面シート２８と下面シート２９とのラミネートシートから形成されており、全体として実質的に液不透過性であることが好ましく、クロッチ域１３の通気性を考慮すれば、実質的に通気液不透過性であることがより好ましい。
【００１８】
離隔シート１４は、クロッチ域１３の前ウエスト域１１の側に位置する前方部３０と、クロッチ域１３の後ウエスト域１２の側に位置する後方部３１と、前方部３０と後方部３１との間に位置する中間部３２と、縦軸Ｐの方向において対向して横軸Ｑの方向に延びる前後端縁部１４ａ，１４ｂと、横軸Ｑ方向へ対向し、縦軸Ｐの方向へ延びる両側縁１４ｃ，１４ｃとを含む。前後端縁部１４ａ，１４ｂは、ホットメルト接着剤を介してクロッチ域１３の肌当接面側に固着されており、両側縁部１４ｃ，１４ｃは、ホットメルト接着剤を介してレッグ開口縁部１３ｂ，１３ｂに固定されている。
【００１９】
離隔シート１４は、尿を通過させるための前方開口部３４と、便を通過させるための後方開口部３５とを含む。後記するように、離隔シート１４には、中間部３２において中間部３２の一部が折曲されて分離壁部３７が形成されており、前方開口部３４と後方開口部３５とは、横軸Ｑ近傍において、分離壁部３７を介して縦軸Ｐの方向に隣接するように配置されている。前方部３０と後方部３１の下方には、分離壁部３７で分離された前方排泄物収容部４２と後方排泄物収容部４３とがそれぞれ形成されている。
【００２０】
本実施形態において、前方開口部３４と後方開後部３５とは円形であるが、楕円形、菱形等の排泄物を通過させるための最適な形状を採用することができる。ただし、円形、楕円形、菱形のように、前方開口部３４はそのほぼ後半部の対向周縁の間隔が、かつ、後方開口部３５はそのほぼ前半部の対向周縁の間隔が、横軸Ｑへ向かって互いに近接する部位を有している形状が好ましい。
【００２１】
前方部３０には、互いに縦軸Ｐに関して対称であって、離隔シート１４の前端縁部１４ａの両側から前方開口部３４の後周縁に沿うように延びる一対の前方弾性伸縮部材３８，３９が取り付けられている。
【００２２】
後方部３１には、互いに縦軸Ｐに関して対称であって、離隔シート１４の後端縁部１４ｂの両側から後方開口部３５の前周縁に沿うように延びる一対の後方弾性伸縮部材４０，４１が取り付けられている。
【００２３】
前方弾性伸縮部材３８，３９と後方弾性伸縮部材４０，４１とは、それぞれ離隔シート１４の中間部３２において対向離間しており、互いに交差していない。
【００２４】
前方弾性伸縮部材３８，３９は、前方開口部３４の後周縁に沿う内端部３８ａ，３９ａと、前ウエスト域１１の両側縁部１１ｂ，１１ｂに位置し、シール部１００と重なる外端部３８ｂ，３９ｂとを有し、後方弾性伸縮部材４０，４１は、後方開口部３５の前周縁に沿う内端部４０ａ，４１ａと、後ウエスト域１２の両側縁部１２ｂ，１２ｂのシール部１００と重なる外端部４０ｂ，４１ｂとを有する。前後方弾性伸縮部材３８，３９，４０，４１は、内端部３８ａ，３９ａ，４０ａ，４１ａが、中間部３２へ向かって幅狭に形成されていて、外端部３８ｂ，３９ｂ，４０ｂ，４１ｂを含む他の部分よりも伸長応力が低くされている。
【００２５】
前方弾性伸縮部材３８，３９と後方弾性伸縮部材４０，４１とには、２枚の繊維不織布の間に平ゴムやテープ状のウレタンフォーム（好ましくは連続気泡のもの）を伸長して挟み込んだ弾性伸縮性シート、ポリプロピレンとポリウレタンの混合糸で形成したテープ状の伸縮性繊維不織布等を使用することができる。
【００２６】
本発明では、前述のとおり、前方弾性伸縮部材３８，３９と後方弾性伸縮部材４０，４１とが、それぞれ前方開口部３４の後周縁と後方開口部３５の前周縁とに沿って延び、離隔シート１４の中間部３２において互いに交差していない。これにより、前後方開口部３４，３５の形状が、それぞれの周縁に沿う前後方弾性伸縮部材３８，３９，４０，４１の張力によって保持されるとともに、前後方開口部３４，３５の周縁部を着用者の肌に密着させることができる。
【００２７】
仮に、前方弾性伸縮部材３８，３９と後方弾性伸縮部材４０，４１とが中間部３２において交差する場合には、該交差部位が肌を刺激して、不快感を与えたり、かぶれを生じさせるおそれがあるとともに、クロッチ域のシート部材には複数の皺が生じるので、離隔シート１４の前後方開口部３４，３５が押し潰されて幅狭になり、排泄物が排泄物収納部に流入しづらくなるおそれがある。
【００２８】
本実施形態によれば、前後方弾性伸縮部材３８，３９，４０，４１が互いに交差していないので、クロッチ域１３の中央部に過度の伸張応力が作用することはなく、肌に刺激を与えるおそれはない。また、前方弾性伸縮部材３８，３９が前方開口部３４の後周縁へ延び、後方弾性伸縮部材４０，４１が後方開口部３５の前周縁へ延びているので、おむつ１０の着用時に、それらの伸張応力によって前後方開口部３４，３５の周縁部がクロッチ域１３の両側に向かって引っ張られて、前後方開口部３４，３５の形状が幅狭になるのを防止することができる。
【００２９】
また、前記前方弾性伸縮部材３８，３９と前記後方弾性伸縮部材４０，４１とが、それぞれ前方開口部３４の後周縁と後方開口部３５の前周縁に延びているので、前方弾性伸縮部材３８，３９が前方開口部３４の前ウエスト域１１側の縁部に延びている場合や後方弾性伸縮部材４０，４１が後方開口部３５の後ウエスト域側の部位に延びている場合に比して、前方弾性伸縮部材の内端部３８ａ，３９ａと後方弾性伸縮部材の内端部４０ａ，４１ａとの離間距離を小さくすることができ、おむつ１０の着用状態において、おむつ１０の横軸Ｑ近傍の部位をより着用者の身体に密着させることができる。
【００３０】
さらに、前方弾性伸縮部材３８，３９の外端部３８ｂ，３９ｂは、前ウエスト域１１の両側縁部１１ｂ，１１ｂに位置するシール部１００と重なっており、後方弾性伸縮部材４０，４１の外端部４０ｂ，４１ｂは、後ウエスト域の両側縁部１２ｂ，１２ｂのシール部１００と重なっているので、おむつ１０の着用状態において、前方弾性伸縮部材の３８，３９の外端部３８ｂ，３９ｂと後方弾性伸縮部材４０，４１の外端部４０ｂ，４１ｂとが連なって、一連に延びる円弧状の弾性伸縮帯を形成することができる。
【００３１】
さらにまた、本実施形態では、前方弾性伸縮部材３８，３９と後方弾性伸縮部材４０，４１とは、離隔シート１４を着用者の肌に密着させて、前方開口部３４と後方開口部３５とが所要の位置からずれることを防止する機能と、レッグ開口縁部１３ｂから排泄物が横漏れすることを防止するという２つの機能を有している。
【００３２】
前記２つの機能を発揮するためには、前方弾性伸縮部材３８，３９と後方弾性伸縮部材４０，４１との伸張応力が、１〜５Ｎ／ｍｍであることが好ましい。１Ｎ／ｍｍ以下の場合には、前記２つの機能、とりわけ、排泄物の横漏れを防止する機能を発揮することができず、５Ｎ／ｍｍ以上の場合には、前後方弾性伸縮部材３８，３９，４０，４１が着用者の肌を必要以上に締め付けることになるので、着用者の肌に締め付け跡を付けるおそれがある。
【００３３】
図３は、図１のＩＩＩ−ＩＩＩ線断面図である。
【００３４】
図３に示すとおり、離隔シート１４の前方開口部３４は、前方部３０とおむつ本体１０ａとの間に画成された前方排泄物収容部４２に連通しており、後方開口部３５は、後方部３２とおむつ本体１０ａとの間に画成された後方排泄物収容部４３に連通している。
【００３５】
このように、離隔シート１４がおむつ本体１０ａに吊持された状態において、前方開口部３４と後方開口部３５とが、それぞれ下方に位置する前方排泄物収容部４２と後方排泄物収容部４３とに連通しているので、前後方開口部３４，３５上で排泄された排泄物は、前方開口部３４と後方開口部３５とを通過して下方に位置する前後方収納部４２，４３に収容される。これにより、排泄物が離隔シート１４の前後方開口部３４，３５の周縁部に滞留しないので、排泄後に排泄物によって肌が汚れることはなく、肌に付着した排泄物によって肌がかぶれるおそれもない。
【００３６】
分離壁部３７は、後記するように、前方部３０の中央部に位置する前方中央域４５と、後方部３１の中央部に位置する後方中央域４６とがホットメルト接着剤４７を介して接合されて形成されている。分離壁部３７の下端縁３７ａは、ホットメルト接着剤を介しておむつ本体１０ａの肌当接面側に固定されている。ただし、分離壁部３７の下端縁３７ａがホットメルト接着剤で固定されておらず、フリーの状態であってもよい。
【００３７】
前方排泄物収容部４２と後方排泄物収容部４３とは、分離壁部３７によって互いに分離されているので、前方排泄物収容部４２に流入する前方開口部３４の近傍において排泄された排尿と、後方排泄物収容部３５の近傍において排泄された便とが混じりあうことはなく、それらが混じり合うことによって生じる悪臭の発生を防止することができる。
【００３８】
また、分離壁部３７が形成されることによって、離隔シート１４の長さ寸法が小さくなり、おむつ１０の着用時において離隔シート１４の前方部３０と後方部３２とが伸長された状態となるので、その伸長応力が作用して離隔シート１４を着用者の肌により密着させることができる。
【００３９】
分離壁部３７は、４０〜６０ｍｍの高さを有するものが好ましい。分離壁部３７の高さが４０ｍｍ以下の場合には、前方排泄物収容部４２と後方排泄物収容部４３とに収容された排泄物が分離壁部３７を乗り越えて外部に漏れ出るおそれがあり、それらが排泄物を収容するポケットとしての役割を果たすことができず、一方、分離壁部３７の高さが６０ｍｍ以上の場合には、離隔シート１４が内側からおむつ１０のレッグ開口部を塞ぎ、おむつ１０を着用する際に、レッグ開口部に足を挿入しづらくなるおそれがあるからである。
【００４０】
なお、本実施形態では、離隔シート１４は、クロッチ域１３に配置されているが、クロッチ域１３のみならず前後ウエスト域１１，１２にまで延びていてもよく、すなわち、内面シート１６の全面に配置されていてもよい。
【００４１】
図４および図５は、離隔シート１４の中央部３２が折曲される前の状態と、中央部３２が折曲された後の状態（使用状態）とを示す図である。
【００４２】
図４に示すとおり、離隔シート１４の中間部３２には、横軸Ｐ近傍において横軸Ｑの方向へ延びる仮想中央折曲線４９と、互いに横軸Ｑに関して対称であって、横軸Ｑの方向へ延びる仮想前方折曲線５０と仮想後方折曲線５１と、仮想前方折曲線５０の両端縁５０ａ，５０ｂから縦軸Ｐに向かって斜めに延びる一対の仮想前方傾斜折曲線５２，５３と、仮想後方折曲線５１の両端縁５１ａ，５１ｂから縦軸Ｐへ向かって斜めに延びる一対の仮想後方傾斜折曲線５４，５５とが形成されている。仮想前方傾斜折曲線５２，５３と仮想後方傾斜折曲線５４，５５とは、横軸Ｑに関して互いに対称となるように形成されている。
【００４３】
また、離隔シート１４の中間部３２には、仮想前方傾斜折曲線５２，５３間に位置する前方中央域４５と、仮想後方傾斜折曲線５４，５５間に位置する後方中央域４６と、離隔シート１４の両側縁１４ｃ，１４ｃと仮想前方傾斜折曲線５２，５３との間に位置する前方両側域５７，５８と、離隔シート１４の両側縁１４ｃ，１４ｃと仮想後方傾斜折曲線５４，５５との間に位置する後方両側域５９，６０とが画成されている。前方中央域４５の中央部の肌当接面側には、ホットメルト接着剤４７が散点状に塗布されており、仮想前方折曲線５０と仮想後方折曲線５１とが互いに重なり合うことによって、横軸Ｑ方向へ延びる中央接合線６２が形成されている（図５参照）。なお、ホットメルト接着剤４７は、仮想前方折曲線５０上に塗布されていないことが好ましい。仮想前方折曲線５０上に塗布された場合には、中央接合線６２からホットメルト接着剤４７が滲み出て、着用者の肌を刺激するおそれがあるからである。
【００４４】
離隔シート１４の折曲手順は、まず、離隔シート１４の前方部３０の肌当接面側と後方部３１の肌当接面側が向かい合うように、仮想中央折曲線４９を介して離隔シート１４を縦軸Ｐの方向へ２つ折りにして、次に、前方両側域５７，５８と後方両側域５９，６０との肌当接面側が重なり合うように仮想前方傾斜折曲線５２，５３と仮想後方傾斜折曲線５４，５５とを折曲（タック）する。
【００４５】
このとき、前方中央域４５とそれに対向する後方中央域４６も重なり合い、互いに前方中央域４５の表面に塗布されたホットメルト接着剤４７を介して接合されるので、前方中間域４５と後方中央域４６とによって分離壁部３７が形成される。
【００４６】
また、図示された態様のほかに、前方中央域５０の中央部にホットメルト接着着剤４７を塗布せずに、その両側にのみホットメルト接着剤４７を塗布し、該中央部の下端（仮想中央折曲線４９の近傍）を切断してもよい。この場合には、非固着状態にある中央部がポケットの役割を果たし、中央接合線６２近傍に滞留する排泄物を下方に位置する前後方排泄物収納部３４，３５に収容させることができる。
【００４７】
離隔シート１４は、一枚のシート部材を折曲することによって、前方開口部３４と後方開口部３５とをクロッチ域１３の中央部において縦軸Ｐの方向へ隣接させることができるので、離隔シート１４を複数のシート部材を用いて形成する場合、例えば、前方部３０と後方部３１とを別体のシートで形成する場合や分離壁部３７を別体のシート部材で形成する場合等に比して、製造工程を簡略化でき、かつ、製造コストを抑えることができる。
【００４８】
＜第２実施形態＞
図６は、第２実施形態を示す図５と同様の図である。本実施形態におけるおむつの構成は、前記の実施形態のそれと基本的に同様であるので、相違する点についてのみ説明する。
【００４９】
本実施形態では、前方弾性伸縮部材３８，３９と後方弾性伸縮部材４０，４１とが弾性伸縮性シートではなく、ストランド状の弾性伸縮部材から形成されている。図示例では、弾性伸縮性シートの代わりに２本のストランド状の弾性伸縮部材が用いられているが、必要な伸長応力に応じて２本以上のストランド状の弾性伸縮部材を用いることができ、弾性伸縮部材同士の離間寸法も適宜選択することができる。このように複数条のストランド状の弾性伸縮部材を離間並列することによって、テープ状の弾性伸縮域を形成することができる。
【００５０】
弾性伸縮性シートではなく、ストランド状の弾性伸縮部材を用いた場合には、離隔シート１４を形成する上面シート２８と下面シート２９との間にストランド状の弾性伸縮部材を介在させ、ホットメルト接着剤を介して固定することができる。この場合には、ストランド状の弾性伸縮部材が肌に直接当接しないので、徒に着用者の肌に圧迫跡が付くことはない。
【００５１】
＜第３実施形態＞
図７は、本発明の第３実施形態を示す図２と同様のおむつ１０の展開図である。本実施形態におけるおむつの構成は、第１実施形態のそれと基本的に同様であるので、相違する点についてのみ説明する。
【００５２】
本実施形態では、おむつ本体１０ａの両側縁部２２，２３において、縦方向Ｙへ延びるレッグ弾性伸縮部材６２，６３が配置されている。このようにレッグ弾性伸縮部材６２，６３が配置されている場合には、レッグ周りのフィット性が向上するとともに、前方弾性伸縮部材３８，３９と後方弾性伸縮部材４０，４１との伸長応力をより低くすることができ、肌への圧迫を低減することができる。
【００５３】
図８は、離隔シート１４の製造工程の一部を示す図である。
【００５４】
図８では、外面シート１７を形成するウエブ６４が機械方向（ＭＤ）に移動されて、その表面に弾性伸縮性シート６５，６６が取り付けられている。具体的には、アーム６７，６８をウエブ６４の上に配置して、弾性伸縮性シート６５，６６をアーム６７，６８の先端に位置するヘッド６７ａ，６８ａで延伸させながら、アーム６７，６８をＭＤと直交する方向（ＣＤ）へ揺動させ、原反シート６４の内面にホットメルト接着剤を介して固定している。
【００５５】
弾性伸縮性シート６５，６６をウエブ６４に固定した後に、弾性伸縮性シート６５，６６のうちの、各ユニット６９，７０において最も内方へ湾曲した部位７１ａ，７１ｂ，７２ａ，７２ｂに円形の切断ライン７３ａ，７３ｂに沿って打ち抜き加工を施し、前後方開口部３４，３５を形成するとともに、さらに略菱形の切断ライン７４で打ち抜くことによって、内方へ凹となる離隔シート１４の両側縁１４ｃ，１４ｃの外形が形成される。
【００５６】
本製造工程によれば、前後方開口部３４，３５を打ち抜く際に、同時に弾性伸縮性シート６５，６６を切断することができるので、前後方弾性伸縮部材３８，３９，４０，４１を所要の寸法に切断して離隔シート１４に固定する場合に比べて、製造工程を簡略化できる。
【００５７】
本件発明を構成する各部材には、通常、この種のおむつにおいて使用されている材料を制限なく使用することができる。また、本発明では、おむつの前後ウエスト域とクロッチ域とが一連のシート部材で形成されているが、それらの領域が別体のパネル状部材から形成されていてもよい。
【図面の簡単な説明】
【００５８】
【図１】第１実施形態におけるおむつの側面図。
【図２】おむつの一部破断展開平面図。
【図３】図１のＩＩＩ−ＩＩＩ線断面図。
【図４】折曲前の離隔シートの平面図。
【図５】折曲後の離隔シートの平面図。
【図６】第２実施形態におけるおむつの平面図。
【図７】第３実施形態におけるおむつの平面図。
【図８】離隔シートの製造工程の一部を示す図。
【符号の説明】
【００５９】
１０    使い捨ておむつ
１０ａ  おむつ本体
１１    前ウエスト域
１２    後ウエスト域
１３    クロッチ域
１４    離隔シート
１４ａ  離隔シートの前端縁部
１４ｂ  離隔シートの後端縁部
３０    前方部
３１    後方部
３２    中間部
３４    前方開口部
３５    後方開口部
３８,３９  前方弾性伸縮部材
４０,４１  後方弾性伸縮部材
４２    前方排泄物収容部
４３    後方排泄物収容部
６２,６３  レッグ弾性伸縮部材
縦軸    Ｐ
横軸    Ｑ
【図１】
2010154926.tif 000003
【図２】
2010154926.tif 000004
【図３】
2010154926.tif 000005
【図４】
2010154926.tif 000006
【図５】
2010154926.tif 000007
【図６】
2010154926.tif 000008
【図７】
2010154926.tif 000009
【図８】
2010154926.tif 000010
【手続補正書】
【提出日】平成21年12月18日(2009.12.18)
【手続補正２】
【補正対象書類名】明細書
【補正対象項目名】０００１
【補正方法】変更
【補正の内容】
【０００１】
本発明は、使い捨ておむつ、より詳しくは、排泄物の肌への接触を防止可能な使い捨ておむつに関する。
【手続補正３】
【補正対象書類名】明細書
【補正対象項目名】００５７
【補正方法】変更
【補正の内容】
【００５７】
本発明を構成する各部材には、通常、この種のおむつにおいて使用されている材料を制限なく使用することができる。また、本発明では、おむつの前後ウエスト域とクロッチ域とが一連のシート部材で形成されているが、それらの領域が別体のパネル状部材から形成されていてもよい。